(57)【要約】【課題】  ペルチェ素子により冷却する保冷ケースを備えた洗面化粧台において、ペルチェ素子の冷却により発生する温風を有効的に利用する事を目的とするものである。【解決手段】  ペルチェ素子により冷却される保冷ケースを配置すると共に、ペルチェ素子の放熱面に放熱フィンを装着し、かつ冷却ファンにより放熱フィンに送風して冷却するものにおいて、冷却ファンの排気通路に歯ブラシ立てを配置した事を特徴として成る。【選択図】        図２
2006246955.tif 000002
【特許請求の範囲】
【請求項１】
ペルチェ素子により冷却される保冷ケースを配置すると共に、上記ペルチェ素子の放熱面に放熱フィンを装着し、かつ冷却ファンにより上記放熱フィンに送風して冷却するものにおいて、上記冷却ファンの排気通路に歯ブラシ立てを配置した事を特徴とする洗面化粧台。
【請求項２】
上記ペルチェ素子を放熱面を下方に向けて保冷ケースの底面に配置し、上記放熱面に放熱フィンを密着固定すると共に、この放熱フィンの下方に上記冷却ファンを配置し、この冷却ファンの下方に吸気通路と排気通路を隣接して区画形成し、この排気通路に上記歯ブラシ立てを配置した事を特徴とする、上記請求項１に記載の洗面化粧台。
【発明の詳細な説明】
【技術分野】
【０００１】
本発明は、ペルチェ素子により冷却する保冷ケースを備えた洗面化粧台に関する。
【背景技術】
【０００２】
ペルチェ素子により冷却する保冷室を備えた洗面化粧台では、例えば特許文献１に示される様に、床面に設置されるフロアキャビネット１の上方に、前面パネル５を介してミラーキャビネット６を配置し、このミラーキャビネットの鏡２１の裏面に保冷室Ｃを形成したものがある。
【特許文献１】特開２００３−５６９６４号公報
【発明の開示】
【発明が解決しようとする課題】
【０００３】
又、上記特許文献１に示される洗面化粧台では、放熱ファン１７，１８によりペルチェ素子１３の放熱面１３ｂに密着した放熱フィン１６を冷却し、放熱ファンの排気を水栓金具４に当てて水栓金具を乾燥している。
【０００４】
一方、洗面化粧台には、一般的に歯ブラシを置いて使用しているが、歯ブラシの表面には使用後に多量の水が付着し、これらが時間の経過により落下して洗面化粧台を汚すという問題がある。
【０００５】
そこで本発明は、ペルチェ素子の冷却風を利用して歯ブラシを乾燥し、歯ブラシによる洗面化粧台の汚れを防止する事を目的とするものである。
【課題を解決するための手段】
【０００６】
本発明の請求項１の構成は、ペルチェ素子により冷却される保冷ケースを配置すると共に、ペルチェ素子の放熱面に放熱フィンを装着し、かつ冷却ファンにより放熱フィンに送風して冷却するものにおいて、冷却ファンの排気通路に歯ブラシ立てを配置して成るものである。
【０００７】
本発明の請求項２の構成は、請求項１の構成において、ペルチェ素子を放熱面を下方に向けて保冷ケースの底面に配置し、放熱面に放熱フィンを密着固定すると共に、この放熱フィンの下方に冷却ファンを配置し、この冷却ファンの下方に吸気通路と排気通路を隣接して区画形成し、この排気通路の少なくとも一方に歯ブラシ立てを配置して成るものである。
【発明の効果】
【０００８】
本発明の請求項１に記載の構成により、ペルチェ素子の冷却風を利用して歯ブラシを乾燥する様に構成した事で、歯ブラシの使用後に歯ブラシから落下する水滴による洗面化粧台の汚れを防止する事が出来るものである。
【０００９】
本発明の請求項２に記載の構成により、保冷ケースの下方にペルチェ素子や冷却ファンを配置すると共に、この冷却ファンの下方に冷却ファンの吸気通路と排気通路を形成し、この排気通路に歯ブラシ立てを配置したことで、排気通路のスペースを有効利用して歯ブラシ立てを配置する事が出来るものである。
【発明を実施するための最良の形態】
【００１０】
本発明の実施例を先ず図１に基づき説明すると、１は洗面化粧台本体で、洗面所等の床面に設置される化粧台２と、この化粧台の上面後端部の上に設置される鏡ケース３とで構成している。
【００１１】
上記化粧台２は、前面に扉４や複数の引出し５，５を開閉或いは出し入れ自在に装着していると共に、天面に洗面器６を一体的に装着している。
【００１２】
上記鏡ケース３は、前面に左右方向に３分割した鏡７，８，９を開閉自在に枢支し、かつこれら鏡の内部に図示しない複数の収納棚を配置している。
【００１３】
一方、上記鏡９の内部には、その下部に保冷ユニット１０を収納配置していると共に、この保冷ユニットの上方に複数の棚１１，１１で区画した収納室１２，１２を形成している。
【００１４】
又、上記保冷ユニット１０は、図２にても示す様に、ユニットケース１３内の中央部上方寄りに、前面を開口し、かつ金属板にて形成した保冷ケース１４を収納配置していると共に、底面の中心部を除く外周囲を発泡ウレタン等の断熱材１５で包囲している。
【００１５】
そして、上記保冷ケース１４の底板１６の底面にペルチェ素子１７の吸熱面１７ａを密着固定し、かつペルチェ素子１７の放熱面１７ｂにはアルミニウムや銅等の熱伝導率の高い金属で形成した放熱フィン１８を密着固定している。
【００１６】
更に、上記ユニットケース１３内の放熱フィン１８の真下には、冷却ファン１９を水平に配設していると共に、この冷却ファンの吸気孔２０に吸気通路２１を連通している。
【００１７】
又、上記吸気通路２１の左右にはこれに隣接して排気通路２２，２３を区画形成し、これら排気通路の一端を上記放熱フィン１８を介して冷却ファン１９の排気部に連通し、他端を上記ユニットケース１３の底板２４に穿孔した排気孔２５，２６に連通している。
【００１８】
尚、上記底板２４の排気孔２５，２６間には、上記吸気通路２１に連通する吸気孔２７を穿孔している。
【００１９】
これにより、上記冷却ファン１９の回転により、吸気孔２７より外気を吸引して放熱フィン１８に送風し、放熱フィンを冷却した冷却後の温風を排気通路２２，２３を介して排気孔２５，２６より外部に排出する。
【００２０】
一方、上記排気通路２２，２３には、これらの排気通路を有効利用して図３にても示す様に収納部２８，２９を形成していると共に、これら収納部の少なくとも一方２８に歯ブラシ立て３０を着脱自在に収納配置している。
【００２１】
又、上記歯ブラシ立て３０は、上面並びに前面を開口した筒状の樹脂製のケース３１で形成し、内部に数本の歯ブラシ３２・・を立てて収納可能に構成し、前面の開口には歯ブラシ３２・・の落下を防止するストッパー３３を一体に形成し、底ケース３４にはケース３１内を通過する排気を上記排気孔２５に通す通気孔３５・・を穿孔している。
【００２２】
これらの構成により、ペルチェ素子１７の放熱面を冷却した排気を排出する排気通路２２に歯ブラシ立て３０を配置することで、ペルチェ素子１７の冷却により発生する温風を利用して歯ブラシ３２・・を乾燥し、使用後に歯ブラシから落下する水滴による収納部分の汚れを防止すると共に、歯ブラシ３２・・を繰り返し使用する場合には、手に水滴が付着せず、清潔に使用する事が出来るものである。。
【００２３】
尚、上記実施例では一方の収納部２８のみに歯ブラシ立て３０を収納しているが、他方の収納部２９に収納しても良く、かつ歯ブラシ立て３０の形状は上記実施例に限定されるものではなく、底ケース３４に通気孔３５・・を穿孔しないで、水滴を受ける受け皿を備えたものでも良い。
【００２４】
又、上記実施例では保冷ケース１４の底板１６にペルチェ素子１７を密着固定しているが、保冷ケース１４の天面や側面に固定しても良く、保冷ケース１４を樹脂にて構成してその適所に熱伝導率の高い金属板を埋設し、この金属板にペルチェ素子１７の吸熱面１７ａを密着固定しても良い。
【００２５】
更に、上記実施例では収納部２８，２９の底板３６，３７にも排気通路２２，２３内を通過する排気を通過させて、排気孔２５，２６より排出させる通気孔３８・・を穿孔しているが、排気孔２５，２６を収納部２８，２９の側面等に穿孔し、ケース３１を通過した排気を収納部２８，２９の側面等より排気する場合には、底ケース３４の通気孔３５・・や底板３６，３７の通気孔３８・・を省略しても良い。
【００２６】
而して、ペルチェ素子１７や冷却ファン１９に通電することで、ペルチェ素子１７の吸熱面１７ａにて保冷ケース１４を冷却し、この保冷ケース１４内に収納された化粧品や洗面道具等を冷却し、これらの夏場等における変質や劣化を防止する事が出来るものである。
【００２７】
又、上記ペルチェ素子１７の吸熱面１７ａによる冷却にて放熱面１７ｂが温度上昇するが、冷却ファン１９により放熱フィン１８に外気が送風されて冷却され、この放熱フィンにて放熱面１７ｂが確実に冷却される。
【図面の簡単な説明】
【００２８】
【図１】本発明の実施例を示す斜視図である。
【図２】同じく要部の一部破断による正面図である。
【図３】同じく鏡９を開いた時の要部正面図である。
【符号の説明】
【００２９】
１４    保冷ケース
１７    ペルチェ素子
１７ｂ  放熱面
１８    放熱フィン
１９    冷却ファン
２１    吸気通路
２２    排気通路
２３    排気通路
３０    歯ブラシ立て
【図１】
2006246955.tif 000003
【図２】
2006246955.tif 000004
【図３】
2006246955.tif 000005